(57)【要約】【課題】光バイパススイッチを利用してネットワーク装置同士の通信を行うネットワーク方式において、簡単な手段でネットワーク装置の起動中における通信断を防ぐ。【解決手段】第一ネットワーク装置１に、光バイパススイッチ４を付加し、第一ネットワーク装置１を第二及び第三ネットワーク装置２，３に接続し、通常は光バイパススイッチ４がＯＮになっており、第二及び第三ネットワーク装置２，３は第一ネットワーク装置１を介して通信し、第一ネットワーク装置１の停電時に光バイパススイッチ４がＯＦＦになって、第二及び第三ネットワーク装置２，３同士が直接通信するネットワーク方式において、光バイパススイッチ４は第一ネットワーク装置１から電源が供給され、第一ネットワーク装置１が、電源復旧時に、第一ネットワーク装置１の起動中、光バイパススイッチ４への電源供給を停止し、起動の完了後に電源供給を開始する制御機能を有する。【選択図】図１
2012244556.tif 000002
【特許請求の範囲】
【請求項１】
第一ネットワーク装置に、光バイパススイッチを付加し、上記第一ネットワーク装置を上記光バイパススイッチを介して第二ネットワーク装置及び第三ネットワーク装置に接続し、通常は上記光バイパススイッチがＯＮになっており、上記第二ネットワーク装置及び第三ネットワーク装置は上記第一ネットワーク装置を介して通信し、上記第一ネットワーク装置の停電時に上記光バイパススイッチがＯＦＦになって、上記光バイパススイッチを上記第二ネットワーク装置と上記第三ネットワーク装置とが直接通信するバイパス回線に切換えるネットワーク方式において、
上記光バイパススイッチは上記第一ネットワーク装置から電源を供給される構成とし、  上記第一ネットワーク装置が、上記停電から電源復旧時において上記第一ネットワーク装置の起動中は、上記光バイパススイッチへの電源供給を停止し、上記起動の完了後に上記電源供給を開始する制御機能を有することを特徴とするネットワーク方式。
【発明の詳細な説明】
【技術分野】
【０００１】
この発明は、停電時に光バイパススイッチにより通信の遮断を回避するネットワーク方式において、電源復旧後のネットワーク装置の起動中における通信不可時においても、通信の遮断を回避することができるネットワーク方式に関するものである。ここで、ネットワーク装置は、レイヤ２スイッチやレイヤ３スイッチ等のネットワーク中継機器である。
【背景技術】
【０００２】
複数のネットワーク装置が接続されるネットワーク方式において、例えば、第一ネットワーク装置に光バイパススイッチを付加し、第一ネットワーク装置を光バイパススイッチを介して第二ネットワーク装置及び第三ネットワーク装置に接続し、第一ネットワーク装置を介して第二及び第三ネットワーク装置間で相互に通信を行う構成では、第一ネットワーク装置の停電時に第二及び第三ネットワーク装置間の通信が遮断されることを回避する方法として、光バイパススイッチのバイパス回線で第二及び第三ネットワーク装置が直接通信するネットワーク方式が一般的に知られている。
【０００３】
すなわち、このネットワーク方式では、通常時、第二ネットワーク装置と第三ネットワーク装置間の通信は第一ネットワーク装置を介して行われる。
【０００４】
停電時、第一ネットワーク装置と光バイパススイッチの電源がＯＦＦとなった場合は、光バイパススイッチが通信回線をバイパス回線とすることで、第二ネットワーク装置と第三ネットワーク装置とが直接通信するようにして通信を継続させることができる。
【０００５】
第一ネットワーク装置と光バイパススイッチが停電から復旧し、電源がＯＮとなった時、第一ネットワーク装置の初期化設定時間が長く、電源がＯＮになった後に通信可能となるまで時間がかかる場合には、第一ネットワーク装置の電源復旧の直後に第二ネットワーク装置と第三ネットワーク装置間の通信回線が遮断されてしまうことが問題となる。
【０００６】
これを解決する技術として、例えば、特許文献１では、通信機能と情報処理機能とを備えた端末機器と通信回線とを、インタフェース装置を介して接続している。このインタフェース装置は、端末機器を起動する機能と端末機器に代わって通信処理をエミュレーションする機能とを有し、交信要求があった場合に、暫く後に交信可能になるが現在は通信を受け入れることができないことを発信先に返送する。また、このインタフェース装置は、端末機器が通信可能となったときに、切換回路で端末機器を通信回線に接続する制御機能を有する。
【先行技術文献】
【特許文献】
【０００７】
【特許文献１】特開昭６３−１３１６４０号公報（第２頁−第３頁、図１）
【発明の概要】
【発明が解決しようとする課題】
【０００８】
上記特許文献１のような従来の方式では、端末機器の起動中の通信断を回避するために、インタフェース装置が端末機器を起動する機能と端末機器に代わって通信処理をエミュレーションする機能、さらには、端末機器の通信不可能状態を交信要求があった発信先に通知する機能、端末機器が通信可能となったときに、端末機器を通信回線に接続する切換える制御機能が必要になり複雑な回路構成となるという問題がある。
【０００９】
本発明は、上記のような課題を解決するためになされたものであり、光バイパススイッチを利用してネットワーク装置同士の通信を行うネットワーク方式において、簡単な手段でネットワーク装置の起動中における通信断を防ぐことを目的とする。
【課題を解決するための手段】
【００１０】
この発明に係るネットワーク方式は、第一ネットワーク装置に、光バイパススイッチを付加し、上記第一ネットワーク装置を上記光バイパススイッチを介して第二ネットワーク装置及び第三ネットワーク装置に接続し、通常は上記光バイパススイッチがＯＮになっており、上記第二ネットワーク装置及び第三ネットワーク装置は上記第一ネットワーク装置を介して通信し、上記第一ネットワーク装置の停電時に上記光バイパススイッチがＯＦＦになって、上記光バイパススイッチを上記第二ネットワーク装置と上記第三ネットワーク装置とが直接通信するバイパス回線に切換えるネットワーク方式において、
上記光バイパススイッチは上記第一ネットワーク装置から電源を供給される構成とし、  上記第一ネットワーク装置が、上記停電から電源復旧時において上記第一ネットワーク装置の起動中は、上記光バイパススイッチへの電源供給を停止し、上記起動の完了後に上記電源供給を開始する制御機能を有するものである。
【発明の効果】
【００１１】
この発明に係るネットワーク方式によれば、第一ネットワーク装置に、光バイパススイッチを付加し、上記第一ネットワーク装置を上記光バイパススイッチを介して第二ネットワーク装置及び第三ネットワーク装置に接続し、通常は上記光バイパススイッチがＯＮになっており、上記第二ネットワーク装置及び第三ネットワーク装置は上記第一ネットワーク装置を介して通信し、上記第一ネットワーク装置の停電時に上記光バイパススイッチがＯＦＦになって、上記光バイパススイッチを上記第二ネットワーク装置と上記第三ネットワーク装置とが直接通信するバイパス回線に切換えるネットワーク方式において、
上記光バイパススイッチは上記第一ネットワーク装置から電源を供給される構成とし、  上記第一ネットワーク装置が、上記停電から電源復旧時において上記第一ネットワーク装置の起動中は、上記光バイパススイッチへの電源供給を停止し、上記起動の完了後に上記電源供給を開始する制御機能を有するものであるので、簡単な手段で、第一ネットワーク装置の電源復旧の後、起動中における通信断を回避することができる。
【図面の簡単な説明】
【００１２】
【図１】この発明に係るネットワーク方式の実施の形態１を示す構成図である。
【図２】この発明に係るネットワーク方式に使用される光バイパススイッチの内部構造図である。
【発明を実施するための形態】
【００１３】
以下、この発明の実施の形態を図に基づいて説明する。
実施の形態１．
図１は、この発明に係るネットワーク方式の実施の形態１を示す構成図である。図２は、この発明に係るネットワーク方式に使用される光バイパススイッチの内部構造図である。
【００１４】
図１に示したように、この実施の形態１のネットワーク方式では、第一ネットワーク装置１に光バイパススイッチ４を付加して、第一ネットワーク装置１を光バイパススイッチ４を介して第二ネットワーク装置２と第三ネットワーク装置３とに接続し、光バイパススイッチ４の電源は第一ネットワーク装置１によって供給される構成としている。
【００１５】
また、第一ネットワーク装置１は、自己の起動中は第一ネットワーク装置１から光バイパススイッチ４への電源供給を停止し、自己の起動が完了した後、光バイパススイッチ４への電源供給を開始する制御機能を有する。
【００１６】
光バイパススイッチ４は、図２に示したように、通信回線を切換える光スイッチ４ａと、第一ネットワーク装置１と接続される４つの光インタフェース部（光Ｉ／Ｆ部）４ｂと、電源供給口４ｅと、第二ネットワーク装置２と接続される２つの光Ｉ／Ｆ部４ｃと、第三ネットワーク装置３に接続される２つの光Ｉ／Ｆ部とを備えている。
【００１７】
光スイッチ４ａは、光バイパススイッチ４の電源がＯＮの場合、実線で示す通信回線を確保し、光バイパススイッチ４の電源がＯＦＦの場合、通信回線を破線で示すバイパス回線に切換える。
【００１８】
すなわち、光バイパススイッチ４の電源がＯＮの場合、光スイッチ４ａは、通信回線を光バイパススイッチ４に接続されている第一ネットワーク装置１に接続して、第二ネットワーク装置２〜光Ｉ／Ｆ部４ｃ〜光Ｉ／Ｆ部４ｂ〜第一ネットワーク装置１〜光Ｉ／Ｆ部４ｂ〜光Ｉ／Ｆ部４ｄ〜第三ネットワーク装置３の実線で示す通信回線とし、光バイパススイッチ４の電源がＯＦＦの場合、光スイッチ４ａは、光バイパススイッチ４に接続されている第一ネットワーク装置１をネットワークから分断し、第二ネットワーク装置２〜光Ｉ／Ｆ部４ｃ〜光Ｉ／Ｆ部４ｄ〜第三ネットワーク装置３のバイパス回線に切換える。
【００１９】
次に、この実施の形態１のネットワーク方式の動作について説明する。
通常は、図１（ａ）に示したように、例えば、第二ネットワーク装置２から第三ネットワーク装置３へパケットを送信する場合は、第二ネットワーク装置２は第一ネットワーク装置１へパケットを送信し、第一ネットワーク装置１は第三ネットワーク装置３へパケットを中継する。第一ネットワーク装置１、光バイパススイッチ４が停電等により電源ＯＦＦとなった場合、図１（ｂ）に示したように、光バイパススイッチ４は通信回線を切り替え、第一ネットワーク装置１をネットワークから分断し、第二ネットワーク装置２と第三ネットワーク装置３とを直接接続するバイパス回線に切換える。例えば、第二ネットワーク装置２から第三ネットワーク装置３へパケットを送信する場合は、第二ネットワーク装置２から第三ネットワーク装置３へ直接パケットが送信される。これにより、第二ネットワーク装置２と第三ネットワーク装置３の通信は、絶えることなく継続して行うことができる。
【００２０】
次に、電源復旧時の動作について説明する。第一ネットワーク装置１の電源がＯＮとなり、第一ネットワーク装置１が起動し、第一ネットワーク装置１は自己の起動中は光バイパススイッチ４に電源を供給しないので、第二ネットワーク装置２と第三ネットワーク装置３との通信はバイパス回線によって継続される。第一ネットワーク装置１は自己の起動が完了すると光バイパススイッチ４に電源を供給し、第一ネットワーク装置１を介して第二ネットワーク装置２と第三ネットワーク装置３との通信が行われる。
【００２１】
この実施の形態１によれば、第一ネットワーク装置１の起動中は、第一ネットワーク装置１は、光バイパススイッチ４への電源供給を停止するという簡単な手段で、第二ネットワーク装置２と第三ネットワーク装置３のバイパス回線を確保しておき、正常に起動した後に第一ネットワーク装置１が、光バイパススイッチ４への電源供給を行うことにより、第一ネットワーク装置１を第二ネットワーク装置２と第三ネットワーク装置３に接続させることにより、第二ネットワーク装置２と第三ネットワーク装置３間の通信遮断を回避することができる。
【００２２】
なお、この実施の形態１では、第一ネットワーク装置１、第二ネットワーク装置２及び第三ネットワーク装置３の３つのネットワーク装置からなるネットワーク方式の例を説明したが、ネットワーク装置が４つ以上の場合でも、この発明のネットワーク方式は適用できる。ネットワーク装置が４つ以上の場合には、各ネットワーク装置に光バイパススイッチを設け、各ネットワーク装置それぞれに、自己の光バイパススイッチへの電源供給の停止及び開始を制御する制御機能を持たせる。
【産業上の利用可能性】
【００２３】
本発明に係るネットワーク方式は、鉄道等公共施設の通信網に有効に利用することができる。
【符号の説明】
【００２４】
１  第一ネットワーク装置、２  第二ネットワーク装置、３  第三ネットワーク装置、４  光バイパススイッチ、４ａ  光スイッチ、４ｂ，４ｃ，４ｄ  光インタフェース部、４ｅ  電源供給口。
【図１】
2012244556.tif 000003
【図２】
2012244556.tif 000004